(57)【特許請求の範囲】
【請求項１】
２つの側パネル（5,6）により相互に連結された前パネル（３）と後パネル（４）を有する本体から成り、側パネルと前パネルと後パネルは、シート材料を折り曲げることにより作られており、本体は、関連のクロージャ（20）の付いた少なくとも一つの口（15）を有し、クロージャ（20）は、各々がそれぞれの折り目から側パネル（5,6）の延長部をなす２つの側フラップ（21,22 ）を有し、各側フラップは、前パネル（２）に隣接して位置した前縁（27）を有し、クロージャ（20）は、後パネル（４）の延長部をなすよう形成されたクロージャフラップ（23）を更に有し、クロージャフラップ（23）は、クロージャがその閉じ形態をなすと、側フラップ（21,22）上に折り畳める覆い形成部分（37）及び前パネル（３）と側パネル（21,22）の前縁（27）との間に差し込まれる舌部（40；40′）を有し、舌部（40；40′）は、クロージャがその閉じ形態をなすと、後パネル（４）に向いて位置する内側フェース（45）を有し、舌部（40；40′）は、その内側フェースのそばに位置していて、クロージャがその閉じ形態をなすと、側フラップ（21,22 ）の下に突出するのに適した少なくとも１つの当接部形成面（50；60）を有する箱（１）において、各側フラップ（21,22）は、その前縁（27）に設けられていて、前パネル（３）と側フラップ（21,22）との間への舌部（40）の挿入を容易にする切欠き（29）を有し、各切欠き（29）は、各側フラップの末端側縁部（26）に隣接して位置すると共にその前縁（27）に隣接して位置する各側フラップの領域に第１のタブ（35）を有し、当接部形成面（50；60）は、タブ（35）の下で当接するのに適しており、該舌部（40；40′）は、その末端側縁部（55）の中央に設けられていて、その各側に、側フラップの切欠き（29）と前パネル（３）との間に形成された隙間に嵌入するのに適した外方に延びる部分（57）を形成する切欠き（56）を有しており、当接部形成面（50）は、クロージャフラップ（23）の厚さ増大部により構成されており、前記厚さ増大部は、箱の本体を製作するのに用いられたシートにくっつけられたシート部分(45)によって形成されている、ことを特徴とする箱。
【請求項２】
各切欠き（29）は、各側フラップの基端部（25）に隣接して位置すると共にその前縁（27）に隣接して位置する各側フラップの領域に第２のタブ（36）を有し、当接部形成面（50；60）は、タブ（36）の下で当接するのに適していることを特徴とする請求項１記載の箱。
【請求項３】
側フラップは、クロージャフラップから独立していることを特徴とする請求項１又は２記載の箱。
【請求項４】
側フラップ（21,22）は、互いにオーバーラップすること無く、箱の本体の口（15）中へ折り畳めるよう配置されていることを特徴とする請求項１〜３のうち何れか一に記載の箱。
【請求項５】
各側フラップ（21,22）は、基端部（25）により関連の側パネルに連結され、各側フラップ（21,22）は、末端側縁部（26）を有し、側フラップ（21,22 ）の末端側縁部（26）は、クロージャがその閉じ形態をなすとき、実質的に互いに接触することを特徴とする請求項４記載の箱。
【請求項６】
当接部形成面（50；60）は、舌部（40；40′）の実質的に幅全体にわたって延びていることを特徴とする請求項１〜５のうち何れか一に記載の箱。
【請求項７】
覆い形成部分（37）は、基端部（38）により後パネル（４）に連結され、末端部（39）により舌部（40；40′）に連結され、当接部形成面（50；60）は、覆い形成部分（37）の末端部（39）の近くに位置していることを特徴とする請求項１〜６のうち何れか一に記載の箱。
【請求項８】
クロージャフラップ（23）の舌部（40）の厚さは、その覆い形成部分（37）の厚さの２倍であることを特徴とする請求項１に記載の箱。
【請求項９】
箱の本体（２）は、第２の口及びこれと関連していて、前記クロージャと同一のクロージャ（30）を有していることを特徴とする請求項１〜８のうち何れか一に記載の箱。
【請求項１０】
箱は、厚さが少なくとも２mmの厚紙、好ましくは可塑化厚紙を裁断し、折り畳み、そして組み付けることにより作られることを特徴とする請求項１〜９のうち何れか一に記載の箱。
【請求項１１】
前記厚さ増大部は、箱の本体を製作するのに用いられたシートにくっつけられた第２のシートにより形成されていることを特徴とする請求項１〜１０の何れか一に記載の箱。
【請求項１２】
前記厚さ増大部は、箱の本体を製作するのに用いられたシートの追加の部分によって形成されており、該追加の部分は、それ自体の上に折り重ねてくっつけられていることを特徴とする請求項１〜１１の何れか一に記載の箱。
【発明の詳細な説明】
【０００１】
【発明の属する技術分野】
本発明は、箱に関し、特に、２つの側パネルにより互いに連結された前パネルと後パネルを備えた断面が正方形又は矩形の本体から成るタイプの箱に関し、側パネル、前パネル及び後パネルは、シート材料を折り曲げることにより形成され、箱の本体は、関連のクロージャを備えた少なくとも１つの口を有している。
【０００２】
【従来の技術及び発明が解決しようとする課題】
欧州特許発明明細書ＥＰ−Ｂ１−０３１８７５０は、クロージャが、折り目を介して側パネルの各々から延びていて、各々、長手方向前パネルに隣接して位置した前縁を備える２つの側フラップと、側フラップ上に折り畳まれ、折り目を介して後パネルの延長部をなすことにより構成されるよう設計された覆い形成部分を有するクロージャフラップとから成る箱を開示している。クロージャフラップは、折り目を介して覆い形成部分の延長部をなす舌部を更に有している。かくして、覆い形成部分は、後パネルに連結された一端部及び舌部に連結された別の端部を有している。閉じると、舌部は、前パネルと側フラップの前縁との間に差し込まれるよう設計されている。
【０００３】
補強された状態のクロージャを得るために、覆い形成部分の末端部にスロットが形成され、側フラップが、クロージャフラップを定位置に配置する前に互いに重なるよう配置され、側フラップは、クロージャがその閉じ形態をなすとき、上記スロットに嵌入する歯を有している。
【０００４】
かかる補強型クロージャは外観上完全には満足のゆくものではない。というのは、覆い形成部分の末端部に設けられたスロットは、箱を閉じた後でも目に見える状態になるからである。したがって、かかるクロージャは、箱が棚の上に展示される場合、スロットが消費者に見えやすいので箱の頂部の口を閉じるのに適していない。
【０００５】
加うるに、スロットは破れの開始部分となりがちである。
【０００６】
かくして、箱の外観が満足の行くものとなるようにする補強型クロージャが要望されている。
【０００７】
かかるクロージャは、箱が開きにくくなるようにすることが必要であり、しかも、例えば消費者にとって箱を開けて中身を取り出して試し、そして箱を再び閉じることが容易であるとは思えないようにすることが必要である。
【０００８】
ドイツ国実用新案明細書ＤＥ−Ｕ−２９６２０２１７は、２つの側パネルにより相互に連結された前パネルと後パネルを有する本体から成り、側パネルと前パネルと後パネルは、シート材料を折り曲げることにより作られており、本体は、関連のクロージャの付いた少なくとも一つの口を有し、クロージャは、各々がそれぞれの折り目から側パネルの延長部をなす２つの側フラップを有し、各側フラップは、前パネルに隣接して位置した前縁を有し、クロージャは、後パネルの延長部をなすよう形成されたクロージャフラップを更に有し、クロージャフラップは、クロージャがその閉じ形態をなすと、側フラップ上に折り畳める覆い形成部分及び前パネルと側パネルの前縁との間に差し込まれる舌部を有し、舌部は、クロージャがその閉じ形態をなすと、後パネルに向いて位置する内側フェースを有し、舌部は、その内側フェースのそばに位置していて、クロージャがその閉じ形態をなすと、側フラップの下に突出するのに適した少なくとも１つの当接部形成面を有する箱を開示している。
【０００９】
特に組立てを容易にするために上記の形式の箱を改良することが要望されている。
【００１０】
本発明の箱は、各側フラップが、その前縁に設けられていて、前パネルと側フラップとの間への舌部の挿入を容易にする切欠きを有していることを特徴とする。
【００１１】
側フラップに形成された切欠きにより、側フラップは一層容易に変形し、適当な場合にはこれにより舌部を定位置に配置しやすくなる。
【００１２】
好ましくは、各切欠きは、各側フラップの末端側縁部に隣接して位置すると共にその前縁に隣接して位置する各側フラップの領域に第１のタブを有し、当接部形成面は、タブの下で当接するのに適している。
【００１３】
有利には、各切欠きは、各側フラップの基端部に隣接して位置すると共にその前縁に隣接して位置する各側フラップの領域に第２のタブを有し、当接部形成面は、タブの下で当接するのに適している。
【００１４】
好ましくは、舌部は、その末端側縁部の中央に設けられていて、その各側に、側フラップの切欠きと前パネルとの間に形成された隙間に嵌入するのに適した外方に延びる部分を形成する切欠きを有している。
【００１５】
かくして、側フラップと前パネルが互いに出会う前に舌部をこれらの間に部分的に係合させることができる。
【００１６】
有利には、側フラップは、クロージャフラップから独立しており、それにより、箱をドイツ国実用新案明細書ＤＥ−Ｕ−２９６２０２１７に記載された場合よりも容易に組み立てることができ、この場合、側フラップの各々は、折り目線を介してクロージャフラップに連結され、箱の組立て中、これらを対角線方向に折り畳む必要がある。
【００１７】
有利には、側フラップは、互いにオーバーラップすること無く、箱の本体の口中へ折り畳めるよう配置されている。
【００１８】
かくして、舌部の当接部形成面は、２つの側フラップの裏面に実質的に均等に当接でき、これに対し、もし側フラップが互いに重ね合わされる場合、当接部形成面は、側フラップのうち一方に一層強く当接することになるが、これは好ましくない。
【００１９】
加うるに、互いに重ね合わされた側フラップは、比較的見栄えの良くない状態を生じさせる。というのは、これにより包装の調和が崩れるからである。
【００２０】
好ましくは、側フラップの末端側縁部は、クロージャがその閉じ形態をなすとき、実質的に互いに接触する。
【００２１】
好ましくは、舌部の当接部形成面は、舌部の実質的に幅全体にわたって延びている。
【００２２】
好ましくは又、舌部の当接部形成面は、覆い形成部分の末端部の近くに位置している。
【００２３】
かくして、当接部形成面は、舌部を前パネルと側フラップの前縁との間に差し込んで完成させた後、側フラップの裏面に当接する。
【００２４】
特定の実施形態では、当接部形成面は、クロージャフラップの厚さ増大部により構成される。
【００２５】
この特定の実施形態では、クロージャフラップの舌部の厚さは、その覆い形成部分の厚さの２倍である。
【００２６】
別の特定の実施形態では、当接部形成面は、舌部の一部を折り返すことにより構成される。
【００２７】
有利には、箱の本体は、第２の口を有し、第２の口は、関連のクロージャを備え、このクロージャは、第１のクロージャと同一であるのがよいが、これは任意である。
【００２８】
箱は、厚さが好ましくは少なくとも２ｍｍの任意的に可塑化された厚紙を裁断し、折り畳み、そして互いに組み付けることにより作られる。
【００２９】
本発明の他の特徴及び利点は、添付の図面に例示された本発明の非限定的な実施形態に関する以下の詳細な説明を読むと明らかになろう。
【００３０】
【発明の実施の形態】
図１及び図３に示す箱１は、形状が垂直方向に細長く、横断面が実質的に矩形の本体２を有し、この本体２は、２つの側パネル５，６によって相互に連結された長手方向前パネル３と長手方向後パネル４を有している。
【００３１】
本体２は、シート材料、例えば外面に装飾が施されていて図２に示すように任意的に可塑化された厚紙を裁断し、折り曲げることによって作られる。
【００３２】
組立て用ストリップ７が、前パネル３の一方の側部に沿って作られている。
【００３３】
この組立て用ストリップ７は、後パネル４を左側の側パネル５に、右側の側パネルを後パネル４に、前パネル３を側パネル６にそれぞれ連結する互いに平行な折り目線１０、１１，１２の周りにシート材料を折った後、本体２を形成するよう側パネル５にくっつけられる。
【００３４】
組立て用ストリップ７は、上述の折り目線１０，１１，１２に平行な折り目線１３により前パネル３に連結されている。
【００３５】
図示の例では、箱の本体２は、頂部の口１５及び底部の口（図１には示さず）を有し、クロージャ２０が頂部の口１５と関連し、クロージャ３０が、底部の口と関連している。
【００３６】
クロージャ２０は、それぞれ側パネル５，６の頂部の延長部をなすよう形成された２つの側フラップ２１，２２及び側フラップ２１，２２の間で後パネル４の延長部をなすよう形成されたクロージャフラップ２３を有している。
【００３７】
同様に、クロージャ３０は、それぞれ側パネル５，６の底部をなすよう形成された２つの側フラップ３１，３２及び後パネル４の底部の延長部をなすよう形成されたクロージャフラップ３３を有している。
【００３８】
各側フラップ２１又は２２は、基端部２５を有し、それにより側フラップは関連の側パネルに連結され、基端部２５は、図２では折り目線１０〜１３に垂直であるように見える折り目線と一致している。
【００３９】
各側フラップ２１又は２２は、その基端部２５から見て遠くに位置した末端側縁部２６、基端部２５を末端側縁部２６に連結すると共に箱の本体２をいったん組み立てると前パネル３に隣接して位置する前縁２７、及び前縁２７から見て反対側に位置した後縁２８を更に有している。
【００４０】
各前縁２７はその中央領域に、前縁２７に隣接した各側フラップの領域に第１のタブ３５を構成するとともに基端部２５及び前縁２７に隣接した領域に第２のタブ３６を構成する切欠き２９を有している。
【００４１】
クロージャフラップ２３は、覆い形成部分３７を有し、この覆い形成部分３７は、これを後パネル４に連結する基端部３８及びこれを舌部４０に連結する端部３９を備えている。
【００４２】
基端部３８及び末端部３９は、図２では折り目線１０〜１３に垂直であるように見える互いに平行な折り目線と一致している。
【００４３】
クロージャ３０のクロージャフラップ３３は、後パネル４から見て遠くに位置したその側部に設けられていて舌部４６を備えた覆い形成部分６５を更に有している。
【００４４】
クロージャ２０をその閉じ形態にするために、側フラップ２１，２２を、図５に示すように口１５の上に位置するようにし、次にクロージャフラップ２３を側フラップ２１，２２の上に折り畳む。
【００４５】
クロージャフラップ２３を下降させながらその舌部４０を前パネル３と側フラップ２１，２２の前縁２７との間に差し込む。
【００４６】
すると、舌部４０は、後パネル４に向いた内側フェース４５を箱の内側に呈するとともに、クロージャフラップ２３が開かないように側フラップ２１，２２の裏面に当接するのに適した当接部形成面５０を内側フェース４５のそばに呈する。
【００４７】
具体的に説明すると、本明細書において説明する実施形態では、当接部形成面５０は、舌部４０を構成する覆い形成フラップ２３の厚さの増大部によって形成された段部によって構成され、この厚さの増大部は、箱の本体を製作するために用いられた第１のシートの上に第２のシートをくっつけることにより構成できる。
【００４８】
変形例として、厚さの増大部を箱の本体を製作するために用いられるシートの追加の部分をそれ自体の上に折り重ねてくっつけることにより形成してもよい。
【００４９】
口１５を閉じると、当接部形成面５０は、図６に示すように、第１のタブ３５の裏面に当接するとともに側フラップの第２のタブ３６の裏面に当接する。
【００５０】
かくして、当接部形成面５０は箱が開かないようにするので、覆い形成フラップ２３を外すためには、これに力を加えて第１のタブ３５及び第２のタブ３６を変形させ、それにより舌部４０が側フラップ２１，２２の前縁を通過することができるようにすることが必要である。
【００５１】
舌部４０の末端側縁部５５は有利には、図示のようにその中央領域に切欠き５６を有し、それにより、その各側に設けられていて、側フラップ２１，２２及び前パネル３の切欠き２９によって形成されている隙間５８に嵌まる２つの突出した部分又は外方に延びる部分５７を構成し、それにより舌部４０を定位置に配置しやすくしている。
【００５２】
側フラップ２１，２２の後縁２８は、図示のようにわずかに後退するよう切欠きされている。
【００５３】
クロージャ３０がその閉じ形態にあるとき、側フラップ３１，３２は、底部の口の中に折り畳まれており、クロージャフラップ３３は、これらの上に折り畳まれており、舌部４６は、側フラップ３１，３２と前パネル３との間に嵌まっている。
【００５４】
当然のことながら、本発明は、上述の特定の実施形態に制限されない。
【００５５】
特に、シート材料を２枚合わせる方法とは別の方法で当接部形成面を構成できる。
【００５６】
一例を挙げると、図４に示された舌部４０′は、その一部６１を舌部それ自体の上に折り返すことにより形成される当接部形成面６０を内側フェース上に有し、かくして当接部形成面６０は折り返された端部６１の自由縁部により構成されている。
【００５７】
図７に示すように、当接部形成面６０は、側フラップ２１，２２の裏面に当接する。
【図面の簡単な説明】
【図１】本発明の箱の概略斜視図である。
【図２】箱を構成するシート材料の折り畳み前における箱の展開図である。
【図３】側パネルに平行な平面内のクロージャフラップの断面図であり、舌部の厚さの増大部を示す図である。
【図４】変形実施形態を示す図３と類似した図である。
【図５】クロージャフラップを定位置に配置する前の側フラップの位置を示す図である。
【図６】側パネルに平行な断面における箱の前側頂部の断面図であり、箱を閉じたときの舌部と側フラップの相対位置を示す図である。
【図７】当接部形成面がそれ自体の上に折り畳まれる舌部の一部により形成される場合の図６と類似した図である。
【符号の説明】
１  箱
２  本体
３  前パネル
４  後パネル
５，６  側パネル
１５  口
２０  クロージャ
２１，２２  側フラップ
２３  クロージャフラップ
２９  切欠き
３７  覆い形成部分
４０  舌部
５０，６０  当接部形成面
【図１】
0003549468.tif 000002
【図２】
0003549468.tif 000003
【図３】
0003549468.tif 000004
【図４】
0003549468.tif 000005
【図５】
0003549468.tif 000006
【図６】
0003549468.tif 000007
【図７】
0003549468.tif 000008